(57)【要約】【課題】新たに基地局が追加された場合に、隣接する基地局に対して簡便に隣接情報を登録することが可能なＥＭＳを提供する。【解決手段】  本発明に係るＥＭＳは、端末１２と無線接続する複数の隣接する基地局１４ａ〜１４ｄの運用管理を行うＥＭＳであって、基地局１４ａ〜１４ｄの位置情報を取得し、前記位置情報に基づいて基地局１４ａ〜１４ｄの相互間で隣接関係にある前記基地局を特定し、基地局１４ａ〜１４ｄに隣接情報を登録する。これにより、隣接関係にある基地局に対して隣接情報を簡便に登録するができる。また、既存の基地局の変更撤去に応じて、隣接情報の更新を簡便にすることができる。【選択図】図３
2011223524.tif 000002
【特許請求の範囲】
【請求項１】
端末と無線接続する複数の基地局の運用管理を行うＥＭＳであって、
前記各基地局の位置情報を取得し、
前記位置情報に基づいて前記基地局の相互間で隣接関係にある前記基地局を特定し、
前記各基地局に隣接情報を登録する
ことを特徴とするＥＭＳ。
【請求項２】
請求項１記載のＥＭＳにおいて、
前記各基地局に対して、新たな基地局が追加された場合に、前記新たな基地局の位置情報を取得し、
前記位置情報に基づいて、前記新たな基地局と隣接関係にある前記基地局を特定し、
前記各基地局に前記新たな基地局の隣接情報を登録する
ことを特徴とするＥＭＳ。
【請求項３】
請求項２記載のＥＭＳにおいて、
隣接関係にある前記基地局に対して、前記新たな基地局の隣接情報を登録する
ことを特徴とするＥＭＳ。
【請求項４】
請求項１〜３のいずれか１項に記載のＥＭＳにおいて、
前記新たな基地局の送信出力情報を取得し、
前記隣接関係は、前記位置情報及び前記送信出力情報に基づいて判定される
ことを特徴とするＥＭＳ。
【発明の詳細な説明】
【技術分野】
【０００１】
本発明は、端末と無線接続する複数の基地局の運用管理を行うＥＭＳに関する。
【背景技術】
【０００２】
次世代の高速移動体通信方式としてＷｉＭＡＸ(Worldwide Interoperability for Microwave Access)が国際的に注目を集め、このシステムの導入が開始されている。
【０００３】
このＷｉＭＡＸシステムでは、端末と無線接続する基地局が多数設置される。この基地局を設置する際には、基地局毎に種々のパラメータを設定する必要があり、この設定は通常、ＥＭＳ(Element Management System)によって行われる。
【０００４】
また、ＷｉＭＡＸシステムでは、隣接する基地局同士は端末のハンドオーバ等のために、隣接する基地局の情報を予め取得しておく必要がある。この情報は、通常、ＥＭＳによって各基地局に登録される。
【先行技術文献】
【非特許文献】
【０００５】
【非特許文献１】「WiMAX NetworkManagement NMS to EMS Interface」  ２００８年８月２８日
【発明の概要】
【発明が解決しようとする課題】
【０００６】
しかしながら、既に基地局が設定されている状態において、新たに基地局を追加する場合には、既存の基地局に対して新たな基地局の情報を登録する必要があるが、基地局の設定台数が多い場合には登録手続きが煩雑になる。
【０００７】
本発明は、上記の課題を考慮してなされたものであって、新たな基地局を追加した場合に、前記新たな基地局に隣接する基地局に対して簡便に隣接情報を登録することが可能なＥＭＳを提供することを目的とする。また、既存の基地局の変更撤去に応じて、隣接情報の更新を簡便にすることが可能なＥＭＳを提供することを目的とする。
【課題を解決するための手段】
【０００８】
本発明に係るＥＭＳは、端末と無線接続する複数の基地局の運用管理を行うＥＭＳであって、前記各基地局の位置情報を取得し、前記位置情報に基づいて前記基地局の相互間で隣接関係にある前記基地局を特定し、前記各基地局に隣接情報を登録することを特徴とする。
【０００９】
前記ＥＭＳは、ＷｉＭＡＸシステムに対して、新たな基地局を追加した場合に、前記新たな基地局の位置情報を取得し、前記位置情報に基づいて、前記新たな基地局と隣接関係にある前記基地局を特定し、前記各基地局に前記新たな基地局の隣接情報を登録することを特徴とする。
【００１０】
前記ＥＭＳは、隣接関係にある前記基地局に対して、前記新たな基地局の隣接情報を登録することを特徴とする。
【００１１】
前記ＥＭＳは、前記新たな基地局の送信出力情報を取得し、前記隣接関係を、前記位置情報及び前記送信出力情報に基づいて判定することを特徴とする。
【発明の効果】
【００１２】
本発明のＥＭＳによれば、ＷｉＭＡＸシステムに対して新たな基地局を追加した場合に、新たな基地局の位置情報に基づいて、新たな基地局と隣接関係にある基地局を特定することにより、新たな基地局と隣接関係にある基地局に対して隣接情報を簡便に登録するができる。また、既存の基地局の変更撤去に応じて、隣接情報の更新を簡便にすることができる。
【図面の簡単な説明】
【００１３】
【図１】本発明の実施形態に係るＥＭＳを備えるＷｉＭＡＸシステムの説明図である。
【図２】本発明の実施形態に係るＥＭＳの構成の説明図である。
【図３】隣接情報を登録するための手順の説明図である。
【図４】図４（Ａ）は、基地局が追加される前の基地局の配置関係の説明図であり、図４（Ｂ）は、隣接情報を示すテーブルの説明図である。
【図５】図５（Ａ）は、基地局が追加された後の基地局の配置関係の説明図であり、図５（Ｂ）は、隣接情報を示すテーブルの説明図である。
【発明を実施するための形態】
【００１４】
以下、本発明の実施形態について図面を参照して説明する。図１は、本発明の実施形態に係るＥＭＳを備えるＷｉＭＡＸ通信システム１０の説明図であり、図２は、本発明の実施形態に係るＥＭＳの構成の説明図である。
【００１５】
ＷｉＭＡＸ通信システム１０は、ＡＳＮ（Access Service Network）１８と、ＣＳＮ（Connectivity Service Network）２０と、ＥＭＳ２２とを備える。
【００１６】
ＡＳＮ１８は、通信機能を有するコンピュータや携帯電話等である端末１２と無線接続する基地局１４ａ〜１４ｃと、ＱｏＳの管理等を行うＡＳＮＧＷ（Access Service Network-Gateway）１６とを備える。ここで、基地局１４ａ〜１４ｃは各々ＧＰＳ受信機を備える。
【００１７】
ＣＳＮ２０は、ＰＦ（Policy Function）サーバ、ＡＡＡ（Authentication Authorization Accounting）サーバ、ＤＨＣＰ（Dynamic Host
Configuration Protocol）サーバを備えるネットワークである。
【００１８】
ＥＭＳ２２は、基地局情報取得部２４と、隣接関係特定部２６と、隣接情報登録部２８とを備え、基地局１４ａ〜１４ｄの制御管理を行う装置である。
【００１９】
基地局情報取得部２４は、基地局１４ａ〜１４ｄの各々が搭載しているＧＰＳから得られる位置情報と、前記基地局１４ａ〜１４ｄの送信出力情報とを基地局情報として取得する。
【００２０】
隣接関係特定部２６は、基地局情報取得部２４で取得した基地局情報に基づいて基地局１４ａ〜１４ｄ間の隣接関係を判定し、新たに設置された基地局に隣接する基地局を特定する。また、隣接関係特定部２６は、隣接情報を記録したテーブルＴを備える。
【００２１】
隣接情報登録部２８は、隣接関係が特定された、既存の基地局に対して、新たな基地局の情報を隣接情報として登録する。
【００２２】
次に、図３〜図５に基づいて、新たな基地局である基地局１４ｄを、ＷｉＭＡＸ通信システムに追加した場合の隣接情報の登録について説明する。ここで、図３は、隣接情報を登録するための手順の説明図であり、図４（Ａ）は、基地局１４ｄが追加される前の基地局１４ａ〜１４ｃの配置関係の説明図であり、図４（Ｂ）は、その状態における隣接情報を示すテーブルＴの説明図であり、図５（Ａ）は、基地局１４ｄが追加された後の基地局１４ａ〜１４ｄの配置関係の説明図であり、図５（Ｂ）は、その状態における隣接情報を示すテーブルＴの説明図である。
【００２３】
隣接情報の登録において、まず、新たに追加された基地局１４ｄは、ＧＳＰ受信機によって自身の位置情報を取得する（ステップＳ１）。ＥＭＳ２２の基地局情報取得部２４は、基地局１４ｄの前記位置情報と送信出力情報等を含む基地局情報を取得する（ステップＳ２）。
【００２４】
基地局情報取得部２４は、ＡＳＮＧＷ１６ｄの基地局情報を取得した後、基地局１４ａ〜１４ｃに対して、各基地局情報を問い合わせる（ステップＳ３）。基地局１４ａ〜１４ｃは、前記問い合わせに応答して、各基地局情報を基地局情報取得部２４に送信する（ステップＳ４）。基地局情報取得部２４は、受信した前記各基地局情報を隣接関係特定部２６に転送する。
【００２５】
ＥＭＳ２２の隣接関係特定部２６は、転送された基地局情報に基づいて、基地局１４ａ〜１４ｄの位置情報から各設置位置を求め、送信出力情報から各セル半径を定め、基地局１４ａ〜１４ｄの隣接関係を特定してその関係を示すテーブルＴを更新する（ステップＳ５）。基地局の隣接関係は、セルが重なっている場合には隣接関係にあるとされ、セルが重なっていない場合には、隣接関係にないとされる。
【００２６】
基地局１４ｄが追加される前の状態では、図４（Ａ）に示されるように、基地局１４ａのセルＣａ、基地局１４ｂのセルＣｂ、基地局１４ａのセルＣｃは相互に重なる関係にあり、相互間で隣接関係を有する。従って、基地局１４ａに対しては基地局１４ｂ、１４ｃが、基地局１４ｂに対しては基地局１４ａ、１４ｃが、基地局１４ｃに対しては基地局１４ａ、１４ｂが隣接関係にあり、これらの関係が隣接情報として、テーブルＴに記録されている。
【００２７】
基地局１４ｄが追加された後の状態では、図５（Ａ）に示されるように、基地局１４ａは、基地局１４ｂ〜１４ｄとセルが重なり隣接関係を有する関係にあり、基地局１４ｃは、基地局１４ａと基地局１４ｂ、そして基地局１４ｄと隣接関係を有する。基地局１４ｄは、基地局１４ａと１４ｃとはセルが重なり隣接関係を有する関係にあるが、基地局１４ａとはセルが重ならないために隣接関係にない。また、基地局１４ｂは、基地局１４ｄと同様の隣接関係を有する。従って、基地局１４ａに対しては基地局１４ｂ〜１４ｄが、基地局１４ｂに対しては基地局１４ａ、１４ｃが、基地局１４ｃに対しては基地局１４ａ、１４ｂ、１４ｄが、基地局１４ｄに対しては基地局１４ａ、１４ｃが隣接関係にあり、これらの関係に基づいて、テーブルＴが更新される。
【００２８】
隣接情報登録部２８は、図４（Ｂ）のテーブルＴから図５（Ｂ）のテーブルＴに更新された際の差分情報を送信する（ステップＳ６）。即ち、基地局１４ａ、１４ｃに対しては、基地局１４ｄが隣接情報として追加されたこと送信され、基地局１４ｄに対しては、基地局１４ａ、１４ｃが隣接情報として送信される。なお、隣接関係特定部２６は、基地局１４ｂに対しては、隣接情報が更新されていないために差分情報を送信しない。
【００２９】
基地局１４ａ、１４ｃ、１４ｄは、前記隣接情報を受信し、登録した場合にはＥＭＳ２２に対して登録完了の旨のメッセージを送信する（ステップＳ７）。
【００３０】
ＷｉＭＡＸ通信システム１０では、既存の基地局である基地局１４ａ〜１４ｃに対して新たな基地局である基地局１４ｄが追加された場合に、基地局１４ｄの位置情報に基づいて、隣接関係にある基地局１４ａ、１４ｃを特定することにより、基地局１４ａ、１４ｃに対して隣接情報を簡便に登録するができる。
【００３１】
なお、本発明は、上述の実施形態に限らず、本発明の要旨を逸脱することなく、種々の構成を採り得ることはもちろんである。
【００３２】
例えば、上記の実施形態では、新たに追加された基地局としてＡＳＮＧＷ１６ｄの１台について説明したが、複数の新たな基地局が追加される場合にも、新たな基地局に対して隣接情報を登録することができる。
【００３３】
また、隣接情報登録部２８は、テーブルＴが更新された際の差分情報を隣接情報として、基地局１４ａ、１４ｃに送信しているが、テーブルＴに記録されている隣接情報を基地局１４ａ、１４ｃに送信し登録してもよく、さらに、基地局１４ｄと隣接関係にない基地局１４ｂに送信し登録してもよい。
【００３４】
さらに、上記の実施形態では、基地局１４ｄが追加された場合に隣接情報を登録しているが、基地局１４ａ〜１４ｃの位置情報の取得前後でテーブルＴの記録内容が異なる場合に、隣接情報を登録してもよい。かかる場合には、ステップＳ１、Ｓ２は省略され、ステップＳ３から開始し、ステップＳ５において、隣接関係特定部２６が位置情報取得前のテーブルＴと、位置情報取得後のテーブルＴとを対比して、記録内容が異なる場合に、隣接情報登録部２８が基地局１４ａ〜１４ｃに隣接情報を送信し登録してもよい。また、記録内容が異なる場合に、異なった対象の基地局に対してのみ隣接情報を送信し登録してもよい。ここで、記録内容が異なる場合としては、基地局の設置位置が変更された場合や撤去された場合が考えられ、このような基地局の変更撤去に応じて、隣接情報を簡便に更新することができる。
【符号の説明】
【００３５】
１０…ＷｉＭＡＸ通信システム
１２…端末
１４…基地局
１６…ＡＳＮＧＷ
１８…ＡＳＮ
２０…ＣＳＮ
２２…ＥＭＳ
２４…基地局情報取得部
２６…隣接関係特定部
２８…隣接情報登録部
Ｔ…テーブル
【図１】
2011223524.tif 000003
【図２】
2011223524.tif 000004
【図３】
2011223524.tif 000005
【図４】
2011223524.tif 000006
【図５】
2011223524.tif 000007